(57)【要約】【課題】転送済みの画像データに関連付けられている関連データの転送状態を容易に確認できるようにする。【解決手段】データ転送装置は、外部機器と接続する接続手段と、前記接続手段により接続された外部機器に画像データを転送する転送手段と、前記画像データの転送状態を示す情報を生成し記録する記録手段と、前記画像データと当該画像データに関連付けられている関連データとを転送するように制御する制御手段と、を有し、前記記録手段は、転送済みの画像データについて、当該画像データに関連付けられている関連データが編集されている場合、当該編集された関連データの転送状態を示す情報を生成し記録する。【選択図】図７
2020178250.tif 000002
【特許請求の範囲】
【請求項１】
外部機器と接続する接続手段と、
前記接続手段により接続された外部機器に画像データを転送する転送手段と、
前記画像データと当該画像データの転送状態を示す情報を生成し記録する記録手段と、
前記画像データと当該画像データに関連付けられている関連データとを転送するように制御する制御手段と、を有し、
前記記録手段は、転送済みの画像データについて、当該画像データに関連付けられている関連データが編集されている場合、当該編集された関連データの転送状態を示す情報を生成し記録することを特徴とするデータ転送装置。
【請求項２】
前記関連データは、音声データまたはテキストデータであり、
前記転送状態を示す情報は、転送対象、転送済み、未転送、転送失敗のいずれかの状態を含む情報であることを特徴とする請求項１に記載のデータ転送装置。
【請求項３】
前記記録手段は、前記転送済みの画像データについて、当該画像データに関連付けられている関連データが編集されている場合、当該編集された関連データが未転送であることを示す情報を生成し記録することを特徴とする請求項１または２に記載のデータ転送装置。
【請求項４】
前記記録手段により記録された画像データから、前記外部機器への転送対象の画像データを選択する選択手段と、
前記記録手段に記録されている画像データと、当該画像データについて前記記録手段に記録されている情報を表示する表示手段と、をさらに有することを特徴とする請求項１から３のいずれか１項に記載のデータ転送装置。
【請求項５】
前記制御手段は、未転送の画像データをまとめて転送する場合、前記画像データと当該画像データに関連付けられた関連データのいずれかが未転送のときは、前記画像データと前記関連データの両方を転送するように制御することを特徴とする請求項１から４のいずれか１項に記載のデータ転送装置。
【請求項６】
前記制御手段は、前記関連データが未転送のときは、前記画像データと当該画像データに関連付けられた関連データの両方を転送するように制御することを特徴とする請求項１から５のいずれか１項に記載のデータ転送装置。
【請求項７】
前記表示手段に表示中の画像データに関連付けられた関連データがある場合、前記制御手段は、当該関連データが関連付けられていることを示す情報を表示するように制御することを特徴とする請求項４に記載のデータ転送装置。
【請求項８】
前記表示手段に複数の画像データが表示されている場合、前記制御手段は、選択されている画像データの転送状態を示す情報と当該画像データに関連付けされている関連データの転送状態を示す情報を表示するように制御することを特徴とする請求項４または７に記載のデータ転送装置。
【請求項９】
前記表示手段に複数の画像データが表示されている場合、前記制御手段は、画像データごとの転送状態を示す情報と画像データごとに関連付けられた関連データの転送状態を示す情報とを表示するように制御することを特徴とする請求項４または７に記載のデータ転送装置。
【請求項１０】
前記表示手段に前記転送状態を示す情報を表示しない設定の場合、前記制御手段は、画像データだけを表示することを特徴とする請求項４または７に記載のデータ転送装置。
【請求項１１】
前記記録手段は、前記選択手段により、転送済みの画像データが転送対象として選択された場合、当該選択された画像データと当該画像データに関連付けられた関連データについて前記転送状態を示す情報を転送対象に書き換えて記録することを特徴とする請求項４、７から１０のいずれか１項に記載のデータ転送装置。
【請求項１２】
前記記録手段は、前記選択手段により、転送済みの画像データが転送対象として選択された場合、当該選択された画像データと当該画像データに関連付けられた関連データについて前記転送状態を示す情報に転送対象を追記して記録することを特徴とする請求項４、７から１０のいずれか１項に記載のデータ転送装置。
【請求項１３】
前記記録手段は、前記選択手段により、転送済みの画像データが未転送として選択された場合、当該選択された画像データと当該画像データに関連付けられた関連データについて前記転送状態を示す情報を未転送に書き換えて記録することを特徴とする請求項４、７から１０のいずれか１項に記載のデータ転送装置。
【請求項１４】
前記記録手段は、前記画像データが編集されている場合は、当該編集された画像データと当該画像データに関連付けられた関連データについて転送状態を示す情報に未転送を記録することを特徴とする請求項１から１３のいずれか１項に記載のデータ転送装置。
【請求項１５】
前記画像データの編集は、前記画像データにフィルター効果を施す処理、リサイズ処理またはトリミング処理であることを特徴とする請求項１４に記載のデータ転送装置。
【請求項１６】
前記記録手段は、前記関連データが編集され、当該関連データが転送対象ではない場合に、当該関連データの転送状態を示す情報に未転送を記録することを特徴とする請求項１から１５のいずれか１項に記載のデータ転送装置。
【請求項１７】
前記関連データの編集は、前記関連データが音声データの場合、当該音声データに追記する形で録音する処理であることを特徴とする請求項１６に記載のデータ転送装置。
【請求項１８】
前記データ転送装置は、画像を撮像し画像データを生成する撮像装置であることを特徴とする請求項１から１７のいずれか１項に記載のデータ転送装置。
【請求項１９】
接続手段により接続された外部機器に画像データを転送可能なデータ転送装置の制御方法であって、
前記画像データの転送状態を示す情報を生成し記録するステップと、
前記画像データと当該画像データに関連付けられている関連データとを転送するように制御するステップと、を有し、
前記記録するステップでは、転送済みの画像データについて、当該画像データに関連付けられている関連データが編集されている場合、当該編集された関連データの転送状態を示す情報を生成し記録することを特徴とするデータ転送装置の制御方法。
【請求項２０】
コンピュータを、請求項１から１８のいずれか１項に記載されたデータ転送装置として機能させるためのプログラム。
【発明の詳細な説明】
【技術分野】
【０００１】
本発明は、データ転送技術に関する。
【背景技術】
【０００２】
従来、ネットワークを介して外部機器へ画像データを転送する撮像装置がある。また、業務用途等で使用される音声メモ機能を搭載した撮像装置が存在する。音声メモとして録音された音声データは、画像データに関連付けされ、外部機器に画像データを転送する際には、関連付けされた音声データも合わせて転送される。
【０００３】
特許文献１には、音声データに関連する画像データの外部機器への送信を制御することが記載されている。特許文献２には、音声データを記録したタイミングで、音声データを関連付けた画像データが転送対象になっていた場合、音声データも転送対象とすることが記載されている。
【先行技術文献】
【特許文献】
【０００４】
【特許文献１】特開２０１５−２１９７１７号公報
【特許文献２】特開２０１８−１８６４６７号公報
【発明の概要】
【発明が解決しようとする課題】
【０００５】
しかしながら、従来は画像データが転送済みの場合、画像データに追記する形で録音された音声データは転送対象とならないため、画像データと音声データを再度転送したい場合などにおいて、追記された音声データが転送済みなのかどうかわかりにくい。
【０００６】
本発明は、上記課題に鑑みてなされ、その目的は、転送済みの画像データに関連付けられている関連データの転送状態を容易に確認できるようにすることである。
【課題を解決するための手段】
【０００７】
上記課題を解決し、目的を達成するために、本発明のデータ転送装置は、外部機器と接続する接続手段と、前記接続手段により接続された外部機器に画像データを転送する転送手段と、前記画像データの転送状態を示す情報を生成し記録する管理手段と、前記画像データと当該画像データに関連付けられている関連データとを転送するように制御する制御手段と、を有し、前記管理手段は、転送済みの画像データについて、当該画像データに関連付けられている関連データが編集されている場合、当該編集された関連データの転送状態を示す情報を生成し記録する。
【発明の効果】
【０００８】
本発明によれば、転送済みの画像データに関連付けられている関連データの転送状態を容易に確認できるようになる。
【図面の簡単な説明】
【０００９】
【図１】本実施形態の装置の外観図。
【図２】本実施形態の装置構成を示すブロック図。
【図３】本実施形態の再生モード処理を示すフローチャート。
【図４】本実施形態のメニュー画面処理を示すフローチャート。
【図５】本実施形態の表示処理を示すフローチャート。
【図６】本実施形態のＵＩ画面例を示す図。
【図７】本実施形態の録音処理を示すフローチャート。
【図８】本実施形態のＵＩ画面例を示す図。
【図９】本実施形態の画像編集処理を示すフローチャート。
【図１０】本実施形態の転送画像選択処理を示すフローチャート。
【図１１】本実施形態のＵＩ画面例を示す図。
【図１２】本実施形態の画像転送処理を示すフローチャートおよびＵＩ画面例を示す図。
【発明を実施するための形態】
【００１０】
以下、添付図面を参照して実施形態を詳しく説明する。尚、以下の実施形態は特許請求の範囲に係る発明を限定するものはでない。実施形態には複数の特徴が記載されているが、これらの複数の特徴の全てが発明に必須のものとは限らず、また、複数の特徴は任意に組み合わせられてもよい。さらに、添付図面においては、同一若しくは同様の構成に同一の参照番号を付し、重複した説明は省略する。
【００１１】
［実施形態１］
以下に、本発明のデータ転送装置を、静止画や動画を撮影可能なデジタル一眼レフカメラに適用した実施の形態について、添付図面を参照して詳細に説明する。
【００１２】
＜装置構成＞図１及び図２を参照して、本実施形態のデジタルカメラの構成および機能について説明する。
【００１３】
図１（ａ）はデジタルカメラ１００の前面斜視図、図１（ｂ）はデジタルカメラ１００の背面斜視図である。
【００１４】
図１において、背面表示部１０１は、画像や各種情報を表示する、カメラ本体の背面に設けられたＬＣＤなどの表示デバイスである。また、背面表示部１０１は、静止画撮影後の静止画再生や記録中の動画表示、及びライブビュー表示機能を併せ持っている。ファインダー外表示部２４３は、カメラ本体の上面に設けられたＬＣＤなどの表示デバイスであり、シャッター速度や絞りなどのカメラの様々な設定値を表示する。
【００１５】
シャッターボタン１０２は撮影指示を行うための操作部である。モード切替スイッチ１０３は各種モードを切り替えるためのダイヤル式の操作部である。端子カバー１０４は外部機器とデジタルカメラ１００をＵＳＢなどのケーブルを介して接続するためのコネクタ（不図示）を保護するカバー部材である。メイン電子ダイヤル１０５は図２で後述する操作部２７０に含まれる回転操作部材であり、このメイン電子ダイヤル１０５を回すことで、シャッター速度や絞りなどの設定値が変更できる。
【００１６】
電源スイッチ１０６はデジタルカメラ１００の電源のオン／オフを切り替える操作部材である。サブ電子ダイヤル１０７も図２で後述する操作部２７０に含まれる回転操作部材であり、選択枠の移動や画像送りなどを行える。十字キー１０８も図２で後述する操作部２７０に含まれる移動指示部材であり、上、下、左、右からなる４方向ボタンのいずれかを押し込むことで、十字キー１０８の押した部分に応じた操作が可能である。
【００１７】
ＳＥＴボタン１０９も図２で後述する操作部２７０に含まれる押しボタンであり、主に選択項目の決定などに用いられる。ライブビューボタン１１０も図２で述する操作部２７０に含まれる押しボタンであり、静止画撮影モードではライブビュー（以下、ＬＶと表記する場合もある）表示のオン／オフを切り替え、動画記録モードでは動画撮影（記録）の開始や停止の指示に使用される。拡大ボタン１１１も図２で後述する操作部２７０に含まれる押しボタンであり、ライブビュー中における拡大表示のオン／オフ、及び拡大表示中の拡大率の変更を行うための操作部材である。また、拡大ボタン１１１は、再生モードでは再生画像を拡大し、拡大率を増加させるための操作部材である。縮小ボタン１１２も図２で後述する操作部２７０に含まれる押しボタンであり、拡大された再生画像の拡大率を減少させ、画面を縮小表示するための操作部材である。再生ボタン１１３も図２で後述する操作部２７０に含まれる押しボタンであり、撮影モードと再生モードとを切り替えるための操作部材である。撮影モード中に再生ボタン１１３を押下することで再生モードに移行し、記録媒体２５０に記録された画像のうち最新の画像を背面表示部１０１または外部機器３００に表示させることができる。
【００１８】
クイックリターンミラー２１２は、図２で後述するシステム制御部２０１の指示に応じて、不図示のアクチュエータによってアップ位置（露光位置）又はダウン位置（ライブビュー位置）に駆動される。通信端子２１０はデジタルカメラ１００がレンズユニット２００（図２）と通信を行うための電気的接点である。覗き込み型の接眼ファインダー２１６はフォーカシングスクリーン２１３（図２）を観察することで、レンズユニット２００を通じて取り込んだ被写体像の焦点や構図の確認を行うための光学部材である。蓋１１６はデジタルカメラ１００に対して記録媒体２５０を着脱するためにスロットを開閉する部材である。グリップ部１１５は、ユーザがデジタルカメラ１００を構えた際に右手で握りやすい形状を有する。
【００１９】
さらに、デジタルカメラ１００には、図２で後述する操作部２７０に含まれる操作部材として、ＡＦ−ＯＮボタン２７０ｂ、クイック設定ボタン２７０ｃ、アクティブ枠切替ボタン２７０ｄ、メニューボタン２７０ｅ、ファンクションボタン２７０ｆ、インフォボタン２７０ｇがある。
【００２０】
次に、図２を参照して、本実施形態のデジタルカメラ１００及びレンズユニット２００の内部構成について説明する。図２において、図１と共通する構成には同じ符号を付して示している。
【００２１】
図２において、レンズユニット２００は撮影レンズ２０７を搭載し、デジタルカメラ１００に対して着脱可能である。撮影レンズ２０７は通常、複数枚のレンズから構成されるが、ここでは簡略して１枚のレンズのみで示している。通信端子２０６はレンズユニット２００がデジタルカメラ１００と通信を行うための電気的接点である。通信端子２１０はデジタルカメラ１００がレンズユニット２００と通信を行うための電気的接点である。レンズユニット２００は、通信端子２０６を介してシステム制御部２０１と通信し、内蔵されたレンズ制御部２０４が絞り駆動回路２０２を制御して絞り２０５を駆動し、ＡＦ駆動回路２０３を制御して撮影レンズ２０７の位置を変位させることで焦点を合わせる。
【００２２】
ＡＥセンサ２１７は、レンズユニット２００を通じて取り込んだ被写体の輝度を測光する。焦点検出部２１１は、システム制御部２０１にデフォーカス量を出力し、システム制御部２０１はデフォーカス量に応じてレンズユニット２００と通信し、位相差検出方式でのオートフォーカス処理に関する制御を行う。
【００２３】
クイックリターンミラー（以下、ミラー）２１２は、露光、ライブビュー表示、動画撮影の際にシステム制御部２０１から指示を受けて、不図示のアクチュエータによってアップ位置又はダウン位置に駆動される。クイックリターンミラー２１２は、撮影レンズ２０７から入射した光束を接眼ファインダー２１６又は撮像部２２２へ切り替える。クイックリターンミラー２１２は通常、光束を反射して接眼ファインダー２１６へ光束を導くようダウン位置に付勢されているが、露光やライブビュー表示には、撮像部２２２へ光束を導くように上方に跳ね上がり光束中から待避する（アップ位置）。また、クイックリターンミラー２１２は、光束の一部が透過して焦点検出部２１１に入射するように、中央部がハーフミラーとなっている。撮影者は、ペンタプリズム２１４と接眼ファインダー２１６を介して、フォーカシングスクリーン２１３を観察することで、レンズユニット２００を通じて取り込んだ被写体像の焦点や構図の確認が可能となる。
【００２４】
フォーカルプレーンシャッター２２１は、システム制御部２０１の指示に応じて撮像部２２２での露光時間を自由に制御できる。撮像部２２２は被写体像を電気信号に変換するＣＣＤやＣＭＯＳ等の撮像素子で構成されたイメージセンサである。Ａ／Ｄ変換器２２３は、撮像部２２２から出力されるアナログ信号をデジタル信号に変換する。
【００２５】
画像処理部２２４は、Ａ／Ｄ変換器２２３からのデータ、又は、メモリ制御部２１５からのデータに対して所定の画素補間、縮小といったリサイズ処理や色変換処理を行う。また、画像処理部２２４では、撮像した画像データを用いて所定の演算処理が行われ、システム制御部２０１は演算結果に基づいて露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２２４では更に、撮像した画像データを用いて所定の演算処理を行い、演算結果に基づいてＴＴＬ方式のＡＷＢ（オートホワイトバランス）処理も行っている。
【００２６】
Ａ／Ｄ変換器２２３から出力されるデジタルデータは、画像処理部２２４及びメモリ制御部２１５を介して、あるいは、メモリ制御部２１５を介してメモリ２３２に直接書き込まれる。メモリ２３２は、撮像部２２２及びＡ／Ｄ変換器２２３から得られる画像データや、背面表示部１０１または外部機器３００に表示するための画像表示用のデータを格納する。メモリ２３２は、所定枚数の静止画や所定時間の動画及び音声を格納するのに十分な記憶容量を備えている。また、メモリ２３２は画像表示用のメモリ（ビデオメモリ）を兼ねている。
【００２７】
Ｄ／Ａ変換器２１９は、メモリ２３２に格納されている画像表示用のデータをアナログ信号に変換して背面表示部１０１に供給する。メモリ２３２に書き込まれた表示用の画像データはＤ／Ａ変換器２１９を介して背面表示部１０１により表示される。背面表示部１０１は、Ｄ／Ａ変換器２１９からのアナログ信号に応じた表示を行う。このように、メモリ２３２に格納されたデジタル信号をアナログ信号に変換し、背面表示部１０１に逐次転送して表示することで、電子ビューファインダー（ＥＶＦ）機能を実現し、ライブビュー表示（スルー画像表示）を行える。
【００２８】
ファインダー内表示部２４１には、ファインダー内表示部駆動回路２４２を介して、現在ＡＦ処理が行われている測距点（ＡＦ位置）を示す枠やカメラの設定状態を表すアイコンなどが表示される。これにより、ユーザは、接眼ファインダー２１６を覗くことでレンズユニット２００により取り込まれた被写体像を視認できる光学ファインダー（ＯＶＦ）を介して、ＡＦ位置やカメラの設定状態を確認することが可能となる。
【００２９】
ファインダー外表示部２４３には、ファインダー外表示部駆動回路２４４を介して、シャッター速度や絞りなどのカメラの様々な設定値が表示される。
【００３０】
外部出力Ｉ／Ｆ２９０は、メモリ２３２に格納されている画像表示用のデータをデジタル信号のまま外部機器３００に供給する。例えば、ＨＤＭＩ（登録商標）（High-Definition Multimedia Interface）規格に準拠した通信プロトコルに従って、動画データをストリーム形式で出力する。こうして、メモリ２３２に書き込まれた表示用の画像データは外部機器３００に表示される。
【００３１】
不揮発性メモリ２５６は、電気的に消去・記録可能な、例えばＥＥＰＲＯＭなどである。不揮発性メモリ２５６には、システム制御部２０１の動作用の定数、プログラム等が記憶される。ここでいう、プログラムとは、後述する各種フローチャートを実行するためのプログラムのことである。
【００３２】
システム制御部２０１は、デジタルカメラ１００全体を統括して制御するＣＰＵやＭＰＵを備え、不揮発性メモリ２５６に格納されたプログラムを実行することで、後述するフローチャートの各処理を実現する。システムメモリ２５２はＲＡＭなどであり、システム制御部２０１の動作用の定数、変数、不揮発性メモリ２５６から読み出したプログラムなどを展開するワークメモリとしても使用される。また、システム制御部２０１は、メモリ２３２、Ｄ／Ａ変換器２１９、背面表示部１０１、外部出力Ｉ／Ｆ２９０などを制御することにより表示制御も行う。システムタイマー２５３は各種制御に用いる時間や、内蔵時計の時間を計測する計時部である。
【００３３】
モード切替スイッチ１０３、第１シャッタースイッチ２６１、第２シャッタースイッチ２６２、操作部２７０はシステム制御部２０１に各種の指示を入力するための操作手段である。モード切替スイッチ１０３は、システム制御部２０１の動作モードを、静止画撮影モード、動画記録モード、再生モードのいずれかに切り替える。静止画撮影モードには、例えば、オート撮影モード、オートシーン判別モード、マニュアルモード、絞り優先モード（Ａｖモード）、シャッター速度優先モード（Ｔｖモード）が含まれる。また、静止画撮影モードには、例えば、撮影シーン別の撮影設定となる各種シーンモード、プログラムＡＥモード、カスタムモードなどが含まれる。
【００３４】
モード切替スイッチ１０３で、静止画撮影モードに含まれる複数のモードのいずれかに直接切り替える。あるいは、モード切替スイッチ１０３で静止画撮影モードに一旦切り替えた後に、静止画撮影モードに含まれる複数のモードのいずれかに他の操作部材を用いて切り替えるようにしてもよい。同様に、動画記録モードや再生モードにも複数のモードが含まれていてもよい。
【００３５】
第１シャッタースイッチ２６１は、デジタルカメラ１００に設けられたシャッターボタン１０２の操作途中、いわゆる半押し（撮影準備指示）でオンとなり、第１シャッタースイッチ信号ＳＷ１を発生する。システム制御部２０１は、第１シャッタースイッチ信号ＳＷ１を受けて画像処理部２２４によって、ＡＦ処理、ＡＥ処理、ＡＷＢ処理、ＥＦ処理などを開始する。
【００３６】
第２シャッタースイッチ２６２は、シャッターボタン１０２の操作完了、いわゆる全押し（撮影指示）でオンとなり、第２シャッタースイッチ信号ＳＷ２を発生する。システム制御部２０１は、第２シャッタースイッチ信号ＳＷ２により、撮像部２２２からの信号読み出しから記録媒体２５０に画像データを書き込むまでの一連の撮影処理を開始する。
【００３７】
操作部２７０は、背面表示部１０１や外部機器３００に表示される種々の機能に関するに設定を行うための項目や設定値を示すアイテムを選択することにより、場面ごとに適宜機能が割り当てられ、各種機能ボタンとして作用する。機能ボタンとしては、例えば、メニューボタン２７０ｅや、終了ボタン、戻るボタン、画像送りボタン、ジャンプボタン、絞込みボタン、属性変更ボタンなどがある。例えば、メニューボタン２７０ｅが押されると各種の設定可能なメニュー画面が背面表示部１０１や外部機器３００に表示される。ユーザは、背面表示部１０１や外部機器３００に表示されたメニュー画面と、十字キー１０８やＳＥＴボタン１０９を用いて直感的に各種設定を行うことができる。
【００３８】
操作部２７０は、ユーザからの操作を受け付けて、システム制御部２０１へ通知する入力部であり、少なくとも以下の操作部材が含まれる。シャッターボタン１０２、メイン電子ダイヤル１０５、電源スイッチ１０６、サブ電子ダイヤル１０７、十字キー１０８、ＳＥＴボタン１０９、ライブビューボタン１１０、拡大ボタン１１１、縮小ボタン１１２、再生ボタン１１３。十字キー１０８は、十字キー１０８における上、下、右、左の各部を押し込み可能な方向ボタンである。本実施形態では一体的な操作部として説明しているが、上ボタン、下ボタン、右ボタン、左ボタンがそれぞれ独立したボタンであってもよい。以下、上、または下部分を上下キー、左または右部分を左右キーと称する。また、操作部２７０には以下の操作部も含まれる。
【００３９】
ＡＦ−ＯＮボタン２７０ｂは、操作部２７０に含まれる押しボタンスイッチであり、押下することでＡＦの実行を指示することができる。ＡＦ−ＯＮボタン２７０ｂの押下方向は、レンズ１０３から撮像部２２に入射する被写体光の方向（光軸）と平行である。
【００４０】
クイック設定ボタン２７０ｃ（以下、Ｑボタン２７０ｃ）は、操作部２７０に含まれる押しボタンスイッチであり、押下することで、各動作モードにおいて設定可能な設定項目の一覧であるクイック設定メニューが表示される。例えばライブビュー撮影での撮影待機中に押下されると、電子先幕シャッター、モニターの明るさ、ＬＶ画面のＷＢ、２点拡大、無音撮影などの設定項目の一覧がＬＶに重畳して１列に表示される。ユーザは表示されたクイック設定メニューの内、任意の選択肢を上下キーで選択してセットボタンを押下することで、選択した設定項目に関する設定変更や動作モードへの移行を行うことができる。
【００４１】
アクティブ枠切替ボタン２７０ｄは、操作部２７０に含まれる押しボタンスイッチであり、拡大している２箇所のうち、アクティブな拡大位置（枠）を切り替えることができる。また、動作モードによって異なる機能が割り当てられており、再生モードにおいて押下すると、表示している画像にプロテクト属性を付与することができる。
【００４２】
メニューボタン２７０ｅは、操作部２７０に含まれる押しボタンスイッチであり、各種の設定が可能なメニュー画面が背面表示部１０１、または、外部機器３００に表示される。
【００４３】
ファンクションボタン２７０ｆは、操作部２７０に含まれる３つの押しボタンスイッチであり、それぞれ機能が割り当てられている。ファンクションボタン２７０ｆのそれぞれは、グリップ部１１５を保持する右手の指（中指または薬指または小指）によって操作可能な位置に配置されており、押下方向はレンズ１０３から撮像部２２２に入射する被写体光の方向（光軸）と平行である。
【００４４】
インフォボタン２７０ｇは、操作部２７０に含まれる押しボタンスイッチであり、各種情報表示の切り替えなどに使用される。
【００４５】
電源制御部２８０は、電池検出回路、ＤＣ−ＤＣコンバータ、通電するブロックを切り替えるスイッチ回路等により構成され、電池の装着の有無、電池の種類、電池残量の検出を行う。また、電源制御部２８０は、その検出結果及びシステム制御部２０１の指示に基づいてＤＣ−ＤＣコンバータを制御し、必要な電圧を必要な期間、記録媒体２５０を含む各部へ供給する。
【００４６】
電源部２３０は、アルカリ電池やリチウム電池等の一次電池やＮｉＣｄ電池やＮｉＭＨ電池、Ｌｉイオン電池等の二次電池、ＡＣアダプタ等からなる。記録媒体Ｉ／Ｆ２１８は、メモリカードやハードディスク等の記録媒体２５０とのインターフェースである。記録媒体２５０は、撮影された画像を記録するためのメモリカード等の記録媒体であり、半導体メモリや磁気ディスク等から構成される。
【００４７】
通信部２５４は、無線又は有線ケーブルによって接続し、映像信号や音声信号の送受信を行う。通信部２５４は無線ＬＡＮ（Ｌｏｃａｌ Ａｒｅａ Ｎｅｔｗｏｒｋ）やインターネットとも接続可能である。通信プロトコルは、ＦＴＰ（Ｆｉｌｅ  Ｔｒａｎｓｆｅｒ  Ｐｒｏｔｏｃｏｌ）やＰＴＰ（Ｐｉｃｔｕｒｅ  Ｔｒａｎｓｆｅｒ  Ｐｒｏｔｏｃｏｌ）などを想定しているが、既存の技術を使う想定であるため、本実施形態では特に限定しない。通信部２５４は撮像部２２２で撮像した画像（スルー画像を含む）や、記録媒体２５０に記録された画像ファイルを送信可能であり、また、外部機器から画像ファイルやその他の各種情報を受信することができる。
【００４８】
姿勢検知部２５５は重力方向に対するデジタルカメラ１００の姿勢を検知する。姿勢検知部２５５で検知された姿勢に基づいて、撮像部２２２で撮影された画像が、デジタルカメラ１００を横に構えて撮影された画像であるか、縦に構えて撮影された画像なのかを判別可能である。システム制御部２０１は、姿勢検知部２５５で検知された姿勢に応じた向き情報を撮像部２２２で撮像された画像の画像ファイルに付加したり、画像を回転して記録することが可能である。姿勢検知部２５５としては、加速度センサやジャイロセンサなどを用いることができる。
【００４９】
音声処理部２５７は、マイクロフォンなどの集音部によりユーザの音声などを音声信号として取得し、取得したアナログ信号をデジタル信号に変換してシステム制御部２０１に出力する。システム制御部２０１はデジタル音声信号から音声データを生成し、関連データとして画像データに関連付けて記録する。なお、本実施形態では、関連データとして音声データを例示するが、これに限らず、テキストデータなどであってもよい。
【００５０】
なお、操作部２７０の１つとして、背面表示部１０１に対する接触を検出可能なタッチパネル２７０ａを有する。タッチパネル２７０ａと背面表示部１０１とは一体的に構成することができる。例えば、タッチパネル２７０ａを光の透過率が背面表示部１０１の表示を妨げないように構成し、背面表示部１０１の表示面の上層に取り付ける。そして、タッチパネル２７０ａにおける入力座標と、背面表示部１０１上の表示座標とを対応付ける。これにより、あたかもユーザが背面表示部１０１上に表示された画面を直接的に操作可能であるかのようなＧＵＩを構成することができる。システム制御部２０１はタッチパネル２７０ａへの以下の操作、あるいは状態を検出できる。
【００５１】
・タッチパネル２７０ａにタッチしていなかった指やペンが新たにタッチパネル２７０ａにタッチしたこと。すなわち、タッチの開始（以下、タッチダウン（Ｔｏｕｃｈ−Ｄｏｗｎ）と称する）。
【００５２】
・タッチパネル２７０ａを指やペンでタッチしている状態であること（以下、タッチオン（Ｔｏｕｃｈ−Ｏｎ）と称する）。
【００５３】
・タッチパネル２７０ａを指やペンでタッチしたまま移動していること（以下、タッチムーブ（Ｔｏｕｃｈ−Ｍｏｖｅ）と称する）。
【００５４】
・タッチパネル２７０ａへタッチしていた指やペンを離したこと。すなわち、タッチの終了（以下、タッチアップ（Ｔｏｕｃｈ−Ｕｐ）と称する）。
【００５５】
・タッチパネル２７０ａに何もタッチしていない状態（以下、タッチオフ（Ｔｏｕｃｈ−Ｏｆｆ）と称する）。
【００５６】
タッチダウンが検出されると、同時にタッチオンであることも検出される。タッチダウンの後、タッチアップが検出されない限りは、通常はタッチオンが検出され続ける。タッチムーブが検出されるのもタッチオンが検出されている状態である。タッチオンが検出されていても、タッチ位置が移動していなければタッチムーブは検出されない。タッチしていた全ての指やペンがタッチアップしたことが検出された後は、タッチオフとなる。
【００５７】
これらの操作・状態や、タッチパネル２７０ａａ上に指やペンがタッチしている位置座標は内部バスを通じてシステム制御部２０１に通知される。システム制御部２０１は通知された情報に基づいてタッチパネル２７０ａ上にどのような操作（タッチ操作）が行われたかを判定する。タッチムーブについてはタッチパネル２７０ａ上で移動する指やペンの移動方向についても、位置座標の変化に基づいて、タッチパネル２７０ａ上の垂直成分・水平成分毎に判定できる。所定距離以上をタッチムーブしたことが検出された場合はスライド操作（ドラッグ）が行われたと判定するものとする。タッチパネル上に指をタッチしたままある程度の距離だけ素早く動かして、そのまま離すといった操作をフリックと呼ぶ。フリックは、言い換えればタッチパネル２７０ａ上を指ではじくように素早くなぞる操作である。所定距離以上を、所定速度以上でタッチムーブしたことが検出され、そのままタッチアップが検出されるとフリックが行われたと判定できる（ドラッグに続いてフリックがあったものと判定できる）。更に、複数箇所（例えば２点）を同時にタッチして、互いのタッチ位置を近づけるタッチ操作をピンチイン、互いのタッチ位置を遠ざけるタッチ操作をピンチアウトと称する。ピンチアウトとピンチインを総称してピンチ操作（あるいは単にピンチ）と称する。
【００５８】
タッチパネル２７０ａは、抵抗膜方式や静電容量方式、表面弾性波方式、赤外線方式、電磁誘導方式、画像認識方式、光センサ方式等、様々な方式のタッチパネルのうちいずれの方式のものを用いてもよい。方式によって、タッチパネルに対する接触があったことでタッチがあったと検出する方式や、タッチパネルに対する指やペンの接近があったことでタッチがあったと検出する方式ものがあるが、いずれの方式でもよい。
【００５９】
また、撮像装置本体に限らず、有線または無線通信を介して撮像装置（ネットワークカメラを含む）と通信し、撮像装置を遠隔で制御する制御装置にも本発明を適用可能である。撮像装置を遠隔で制御する装置としては、例えば、スマートフォンやタブレットＰＣ、デスクトップＰＣなどの装置がある。制御装置側で行われた操作や制御装置側で行われた処理に基づいて、制御装置側から撮像装置に各種動作や設定を行わせるコマンドを通知することにより、撮像装置を遠隔から制御可能である。また、撮像装置で撮影したライブビュー画像を有線または無線通信を介して受信して制御装置側で表示できるようにしてもよい。
【００６０】
なお、本実施形態においては、本発明をデジタルカメラに適用した場合を例にして説明したが、これはこの例に限定されない。すなわち、ＰＤＡ（Personal Digital Assistant）、携帯電話端末や携帯型の画像ビューワ、ディスプレイを備えるプリンタ装置、デジタルフォトフレーム、音楽プレーヤ、ゲーム機、電子ブックリーダなど、表示部を備え、外部機器にデータを転送可能な装置であれば、本発明は適用可能である。
【００６１】
＜制御処理＞次に、図３から図１２を参照して、本実施形態のデジタルカメラ１００による制御処理について説明する。
【００６２】
なお、図３、図４、図５、図７、図９、図１０、図１２（ａ）の各フローチャートの処理は、不揮発性メモリ２５６に記録されたプログラムをシステムメモリ２５２に展開してシステム制御部２０１が実行することで実現する。
【００６３】
最初に、図３のフローチャートを用いて、再生ボタン１１３が操作された場合の再生モードにおける処理について説明する。
【００６４】
Ｓ３０２では、システム制御部２０１は、表示処理を実行する。表示処理については図５で後述する。
【００６５】
Ｓ３０４では、システム制御部２０１は、終了ボタンの操作を検出するなどして、再生モードの終了指示があったか否かを判定し、終了指示があったと判定した場合は再生モードを終了し、ないと判定した場合は処理をＳ３０６に進める。
【００６６】
Ｓ３０６では、システム制御部２０１は、サブ電子ダイヤル１０７の操作を検出するなどして、画像送りの指示があったか否かを判定し、画像送り指示があったと判定した場合は処理をＳ３０８に進め、ないと判定した場合は処理をＳ３１０に進める。
【００６７】
Ｓ３０８では、システム制御部２０１は、十字キー１０８の操作を検出するなどして、次に表示する画像を決定する。その後、図５で後述するＳ３０２の表示処理により、Ｓ３０８で決定した画像を背面表示部１０１に表示する。
【００６８】
Ｓ３１０では、システム制御部２０１は、ＳＥＴボタン１０９の操作を検出するなどして、音声データの録音指示があったか否かを判定し、録音指示があったと判定した場合は処理をＳ３１２に進め、ないと判定した場合は処理をＳ３１４に進める。
【００６９】
Ｓ３１２では、システム制御部２０１は、音声データの録音処理を実行する。録音処理については図７で後述する。
【００７０】
Ｓ３１４では、システム制御部２０１は、拡大ボタン１１１または縮小ボタン１１２の操作を検出するなどして、画像表示枚数切替の指示があったか否かを判定する。システム制御部２０１は、画像表示枚数切替指示があったと判定した場合は処理をＳ３１６に進め、ないと判定した場合は処理をＳ３１８に進める。
【００７１】
Ｓ３１６では、システム制御部２０１は、画像表示枚数の切り替えを行う。例えば、１枚表示、４枚表示、９枚表示の３パターンがあったとする。現在が１枚表示であり、縮小ボタン７８の押下が検出された場合は、表示枚数を多くする方向の４枚表示に切り替える。現在が９枚表示であり、拡大ボタン７７の押下が検出された場合は、表示枚数を少なくする方向の４枚表示に切り替える。次の表示枚数に切り替える設定を行った後は、後述するＳ３０２の表示処理で、設定された枚数の画像を表示する。
【００７２】
Ｓ３１８では、システム制御部２０１は、インフォボタン２７０ｇの操作を検出するなどして、情報表示の切替指示があったか否かを判定し、情報表示切替指示があったと判定した場合は処理をＳ３２０に進め、ないと判定した場合は処理をＳ３０４に進める。
【００７３】
Ｓ３２０では、システム制御部２０１は、情報表示の切り替えを行う。例えば、情報なし状態と情報あり状態の２パターンがあったとする。情報なし状態の場合は、情報あり状態に切り替える。情報あり状態の場合は、情報なし状態に切り替える。情報表示を切り替える設定を行った後は、図５で後述するＳ３０２の表示処理において、情報表示の設定に従って、アイコン等の非表示の処理を行う。
【００７４】
次に、図４のフローチャートを用いて、メニューボタン２７０ｅが操作された場合のメニュー画面の処理について説明する。
【００７５】
Ｓ４０２では、システム制御部２０１は、転送画像選択画面のメニュー項目が選択されたか否かを判定し、選択されたと判定した場合は処理をＳ４０４に進め、選択されないと判定した場合は処理をＳ４０６に進める。
【００７６】
Ｓ４０４では、システム制御部２０１は、転送画像選択処理を実行する。転送画像選択処理については図１０で後述する。
【００７７】
Ｓ４０６では、システム制御部２０１は、画像転送画面のメニュー項目が選択されたか否かを判定し、選択されたと判定した場合は処理をＳ４０８に進め、選択されないと判定した場合は処理をＳ４１０に進める。
【００７８】
Ｓ４０８では、システム制御部２０１は、画像転送処理を実行する。画像転送処理については図１２で後述する。
【００７９】
Ｓ４１０では、システム制御部２０１は、画像編集画面のメニュー項目が選択されたか否かを判定し、選択されたと判定した場合は処理をＳ４１２に進め、選択されないと判定した場合は処理をＳ４１４に進める。
【００８０】
Ｓ４１２では、システム制御部２０１は、画像編集処理を実行する。画像編集処理については図９で後述する。
【００８１】
Ｓ４１４では、システム制御部２０１は、終了ボタンの操作を検出するなどして、メニュー画面の終了指示があったか否かを判定し、終了指示があったと判定した場合はメニュー画面を終了し、ないと判定した場合は処理をＳ４０２へ進める。
【００８２】
次に、図５のフローチャートと図６のＵＩ画面例を参照して、再生モード中に実行される画像とアイテムの表示処理について説明する。
【００８３】
Ｓ５０２では、システム制御部２０１は、Ｓ３１６で設定された画像表示枚数が１枚表示であるかを判定し、１枚表示であると判定した場合は処理をＳ５０４に進め、１枚表示ではないと判定した場合は処理をＳ５１６に進める。
【００８４】
Ｓ５０４では、システム制御部２０１は、Ｓ３０８で決定した画像を１枚だけ表示する。
【００８５】
Ｓ５０６では、システム制御部２０１は、Ｓ３２０で設定された情報表示状態が情報あり状態であるか否かを判定し、情報あり状態と判定した場合は処理をＳ５０８に進め、情報あり状態ではないと判定した場合は表示処理を終了する。
【００８６】
Ｓ５０８では、システム制御部２０１は、画像データの転送情報に応じたアイコンを表示する。例えば、転送情報には、未転送、転送対象、転送済み、転送失敗の４つの状態が含まれるものとする。画像データに対して転送するための設定をした場合は、転送対象になり、画像データの転送が完了した場合は、転送済みになり、画像データの転送に失敗した場合は、転送失敗になり、画像データに対して転送に関する処理を行っていなければ、未転送になる。本実施形態では、転送済みの場合に、転送済みアイコンを表示するものとする。図６（ａ）〜（ｃ）は、画面全体に画像を１枚表示して転送情報を表示した表示例を示している。図６（ａ）は、画像データの転送情報の表示例を示し、画像６０２が画面全体に表示され、画像６０２の転送情報６０４が画像６０２に重畳して表示されている。転送情報６０４は、画像６０２が転送済みであることを示している。
【００８７】
Ｓ５１０では、システム制御部２０１は、表示している画像に音声データが関連付けられているか否かを判定し、音声データが関連付けられていると判定した場合は処理をＳ５１２に進め、関連付けられていないと判定した場合は表示処理を終了する。
【００８８】
Ｓ５１２では、システム制御部２０１は、表示している画像に音声データが関連付けられていることを示すための音声データアイコンを表示する。図６（ｂ）は、画像６０２に音声データが関連付けられている場合の表示例を示している。音声データアイコン６０６は、画像６０２に音声データが関連付けられていることを示している。
【００８９】
Ｓ５１４では、システム制御部２０１は、音声データの転送情報に応じたアイコンを表示する。図６（ｃ）は、画像６０２に関連付けられている音声データの転送情報の表示例を示している。音声データの転送情報６０８は、転送済みの音声データが画像６０２に関連付けられていることを示している。本実施形態では、画像６０２に音声データが関連付けられていることと、音声データの転送情報とを１つのアイコンで表示しているが、画像データに音声データが関連付けられていることと、音声データの転送情報とを別々のアイコンで示してもよい。
【００９０】
Ｓ５１６では、システム制御部２０１は、Ｓ３１６で設定した枚数分だけ画面に画像を表示する。図６（ｄ）〜（ｆ）は、画面内に４枚の画像と転送情報を表示した例である。図６（ｄ）は、画像６１０、画像６１２、画像６１４、画像６１６が画面に表示されている例を示し、画像６１２にはフォーカスが当たっている。
【００９１】
Ｓ５１８では、システム制御部２０１は、Ｓ３２０で設定された情報表示状態が情報あり状態であるか否かを判定し、情報あり状態と判定した場合は処理をＳ５２０に進め、情報あり状態ではないと判定した場合は表示処理を終了する。
【００９２】
Ｓ５２０では、システム制御部２０１は、フォーカスが当たっている画像の情報を表示するモード（以下、フォーカス情報表示モード）に設定されているか否かを判定する。フォーカス情報表示モードはメニュー画面で設定される。システム制御部２０１は、フォーカス情報表示モードが設定されていると判定した場合は処理をＳ５２２に進め、フォーカス情報表示モードが設定されていないと判定した場合は処理をＳ５３０に進める。
【００９３】
Ｓ５２２では、システム制御部２０１は、フォーカスが当たっている画像データの転送情報に応じたアイコンを表示する。
【００９４】
Ｓ５２４では、システム制御部２０１は、フォーカスが当たっている画像データに音声データが関連付けられているか否かを判定し、音声データが関連付けられていると判定した場合は処理をＳ５２６に進め、関連付けられていないと判定した場合は表示処理を終了する。
【００９５】
Ｓ５２６では、システム制御部２０１は、フォーカスが当たっている画像データに音声データが関連付けられていることを示すための音声データアイコンを表示する。
【００９６】
Ｓ５２８では、システム制御部２０１は、音声データの転送情報に応じたアイコンを表示する。図６（ｅ）は、画像６１２の転送情報６１８と画像６１２に関連付けられている音声データの転送情報６２０の表示例を示している。転送情報６１８は、画像６１２が転送済みであることを示し、音声データの転送情報６２０は、転送済みの音声データが画像６１２に関連付けられていることを示している。
【００９７】
Ｓ５３０では、システム制御部２０１は、表示中の画像データの転送情報に応じて、各画像データの転送情報を示すアイコンを表示する。
【００９８】
Ｓ５３２では、システム制御部２０１は、表示中の画像データのうち、音声データが関連付けられている画像データがあるか否かを判定する。システム制御部２０１は、音声データが関連付けられている画像データがあると判定した場合は処理をＳ５３４に進め、ないと判定した場合は表示処理を終了する。
【００９９】
Ｓ５３４では、システム制御部２０１は、音声データが関連付けられている画像データに対して音声データアイコンを表示する
Ｓ５３６では、システム制御部２０１は、Ｓ５３４で表示した音声データに対して、当該音声データの転送情報に応じたアイコンを表示する。図６（ｆ）は、表示中の各画像データの転送情報と音声データアイコンまたは音声データの転送情報の表示例を示している。画像６１０には、画像６１０の転送情報６２２が重畳表示されている。画像６１２には、画像６１２転送情報６２４と音声データの転送情報６２６が重畳表示されている。画像６１４には、画像６１４の転送情報６２８と音声データアイコン６３０が重畳表示されている。画像６１６には、音声データアイコン６３２が重畳表示されている。
【０１００】
次に、図７のフローチャートと図８のＵＩ画面例を参照して、音声データの録音処理について説明する。
【０１０１】
図７は、再生モード中に録音指示を受けて、音声データの録音処理を実行するフローチャートを示している。
【０１０２】
Ｓ７０２では、システム制御部２０１は、音声処理部２５７により音声データの録音処理を行う。表示中の画像データまたはフォーカスが当たっている画像データに、音声データが関連付けられていない場合は、新たに音声データを作成する。音声データのファイル名は、画像データと同じファイル名とする。このように、音声データと画像データを同じファイル名にすることで、音声データと画像データが関連付けられていることが容易にわかるようにする。表示中の画像データまたはフォーカスが当たっている画像データに音声データが関連付けられている場合は、関連付けられている音声データに追記する形で新たに録音した音声データを記録する。
【０１０３】
Ｓ７０４では、システム制御部２０１は、Ｓ７０２で録音した音声データの転送情報を判定する。
【０１０４】
Ｓ７０６では、システム制御部２０１は、Ｓ７０４で判定した音声データの転送情報が転送対象であるか否かを判定し、音声データが転送対象ではないと判定した場合は処理をＳ７０８に進め、転送対象であると判定した場合は録音処理を終了する。
【０１０５】
Ｓ７０８では、システム制御部２０１は、Ｓ７０２で録音した音声データの転送情報を未転送に書き換える。図８（ａ）〜（ｃ）は、音声データの録音中の表示例を示している。図８（ａ）は、画像８０２に関連付けられている音声データに追記する形で録音する前の状態の表示例を示している。画像８０２の転送情報８０４と画像８０２に関連付けられている音声データの転送情報８０６が表示されている。図８（ｂ）は、画像８０２に関連付けられている音声データに追記する形で録音している状態の表示例を示している。録音中であることを示すガイダンス８０８が表示されている。図８（ｃ）は、画像８０２に関連付けられている音声データに追記する形での録音が完了した後の状態の表示例を示している。画像８０２に関連付けられている音声データに追記する形で録音されたため、画像８０２に関連付けられている音声データの転送情報８０６から、画像８０２に関連付けられている音声データアイコン８１０に、表示する情報が切り替えられている。
【０１０６】
このように、転送済みの音声データに対して追記する形で録音された場合は、音声データの転送情報を未転送に書き換えることによって、音声データの転送情報がより正確に確認できるようになる。また、音声データに対して追記する形で録音された場合に、音声データが転送対象になっていた場合は、音声データの転送情報を書き換えないようにすることで、意図的に転送対象とし、次の操作で転送しようとしていた動作を妨げないようにしている。
【０１０７】
次に、図９のフローチャートを参照して、メニュー画面において画像編集項目が選択された場合の画像データの編集処理について説明する。
【０１０８】
Ｓ９０２では、システム制御部２０１は、編集処理を行う画像を選択する。
【０１０９】
Ｓ９０４では、システム制御部２０１は、画像の編集処理を行う。画像の編集処理としては、例えば、リサイズ処理や画像にフィルター効果を施す処理、トリミング処理などがある。画像に対して、いずれかの処理を実行して保存する。なお、処理を実行した画像の保存方法については、上書き保存でも新規に別画像として保存してもよい。
【０１１０】
Ｓ９０６では、システム制御部２０１は、Ｓ９０４で処理を実行した画像の転送情報を確認する。
【０１１１】
Ｓ９０８では、システム制御部２０１は、Ｓ９０４で処理を実行した画像の転送情報が転送対象であるか否かを判定し、転送対象ではないと判定した場合は処理Ｓ９１０に進め、転送対象であると判定した場合は編集処理を終了する。
【０１１２】
Ｓ９１０では、システム制御部２０１は、Ｓ９０４で処理を実行した画像の転送情報を未転送に書き換える。また、Ｓ９０４で処理を実行した画像に音声データが関連付けられていた場合は、音声データの転送情報も未転送に書き換える。
【０１１３】
このように、画像データが編集された場合は、画像データと関連付けられている音声データの両方の転送情報を未転送に書き換えることによって、関連付けられている音声データの転送情報も画像データと音声データを転送する必要があるか否かの判断の参考になる。
【０１１４】
次に、図１０のフローチャートと図１１のＵＩ画面例を参照して、メニュー画面において転送画像選択項目が選択された場合の転送する画像の選択処理について説明する。
【０１１５】
Ｓ１００２では、システム制御部２０１は、図５および図６で説明した表示処理を実行する。
【０１１６】
Ｓ１００４では、システム制御部２０１は、表示中の画像データまたはフォーカスが当たっている画像データの転送情報を表示する。図１１（ａ）〜（ｃ）は、転送画像選択処理において転送情報を変更する場合の表示例を示している。図１１（ａ）は、転送情報変更ガイド１１０２が表示され、画像１１０８の転送情報１１０４の内容が転送情報変更ガイド１１０２に表示されている。転送情報変更ガイド１１０２は、画像１１０８の転送情報が転送済みであったため、丸のアイコンを表示している。画像１１０８には、音声データが関連付けられており、音声データの転送情報１１０６を表示している。
【０１１７】
Ｓ１００６では、システム制御部２０１は、終了ボタンの操作を検出するなどして、転送画像選択処理の終了指示があったか否かを判定し、終了指示があったと判定した場合は転送画像選択処理を終了し、ないと判定した場合は処理をＳ１００８に進める。
【０１１８】
Ｓ１００８では、システム制御部２０１は、ＳＥＴボタン１０９の操作を検出するなどして、表示中の画像データまたはフォーカスが当たっている画像データが転送対象として選択されたか否かを判定する。システム制御部２０１は、画像データが転送対象として選択されたと判定した場合は処理をＳ１０１０に進め、選択されないと判定した場合は処理をＳ１０１２に進める
Ｓ１０１０では、システム制御部２０１は、表示中の画像データまたはフォーカスが当たっている画像データの転送情報と、表示中の画像データまたはフォーカスが当たっている画像データに関連付けられている音声データの転送情報を転送対象に書き換える。Ｓ１０１０の処理は、画像データの転送情報が転送済みであった場合でも、画像データと関連付けられている音声データの転送情報を転送対象に書き換える。なお、転送情報について、転送情報に転送済みと転送対象の両方が記録されていてもよい。その場合、Ｓ１０１０の処理で、画像データと関連付けられている音声データの転送情報に転送対象を追記する形で記録してもよい。
【０１１９】
Ｓ１０１２では、システム制御部２０１は、インフォボタン２７０ｇの操作を検出するなどして、表示中の画像データまたはフォーカスが当たっている画像データが未転送として選択されたか否かを判定する。システム制御部２０１は、画像データが未転送として選択されたと判定した場合は処理をＳ１０１４に進め、画像データが未転送として選択されないと判定した場合は処理をＳ１０１６に進める
Ｓ１０１４では、システム制御部２０１は、表示中の画像データまたはフォーカスが当たっている画像データの転送情報と、表示中の画像データまたはフォーカスが当たっている画像データに関連付けられている音声データの転送情報を未転送に書き換える
Ｓ１０１６では、システム制御部２０１は、サブ電子ダイヤル１０７の操作を検出するなどして、画像送り指示があったか否かを判定し、画像送り指示があったと判定した場合は処理をＳ１０１８に進め、ないと判定した場合は処理をＳ１００６に進める。
【０１２０】
Ｓ１０１８では、システム制御部２０１は、十字キー１０８の操作を検出するなどして、次に表示する画像を決定する。その後、Ｓ１００２の表示処理により、Ｓ１０１８で決定した画像を背面表示部１０１に表示する。図１１（ｂ）は、図１１（ａ）で表示していた画像１１０８に対して、画像データの転送情報を転送対象に書き換えた場合の表示例を示している。転送情報変更ガイド１１１０には、画像１１０８の転送情報が転送対象に書き換えられたため、転送対象であることを示すチェックアイコンが表示されている。音声データアイコン１１１２は、画像１１０８の転送情報が転送対象に書き換えられたことにより、画像１１０８に関連付けられている音声データの転送情報も転送対象に書き換えられている。図１１（ｃ）は、図１１（ａ）で表示していた画像１１０８に対して、画像データの転送情報を未転送に書き換えた場合の表示例を示している。転送情報変更ガイド１１１４には、画像１１０８の転送情報が未転送に書き換えられたため、未転送であることを示すようにアイコンが非表示となっている。音声データアイコン１１１２は、画像１１０８の転送情報が未転送に書き換えられたことにより、画像１１０８に関連付けられている音声データの転送情報も未転送に書き換えられている。
【０１２１】
次に、図１２（ａ）のフローチャートと図１２（ｂ）のＵＩ画面例を参照して、メニュー画面において画像転送処理項目が選択された場合の画像転送処理について説明する。
【０１２２】
図１２（ｂ）は、画像転送処理において選択可能な項目の表示例を示している。フォーカス１３０４を十字キー１０８で操作し、ＳＥＴボタン１０９を操作することで所望の転送方法を決定して、転送処理を実行する。
【０１２３】
Ｓ１２００では、システム制御部２０１は、ＦＴＰ接続状態を検知する。
【０１２４】
Ｓ１２０１では、システム制御部２０１は、ＦＴＰ接続状態か否かを判定し、ＦＴＰ接続状態であると判定した場合は処理をＳ１２０２に進め、ＦＴＰ接続状態ではないと判定した場合は画像転送処理を終了する。
【０１２５】
Ｓ１２０２では、システム制御部２０１は、各画像データの転送情報を取得する。
【０１２６】
Ｓ１２０４では、システム制御部２０１は、転送対象の画像データを転送する指示があったか否かを判定し、画像データを転送する指示があったと判定した場合は処理をＳ１２０６に進め、ないと判定した場合は処理をＳ１２１２に進める。
【０１２７】
Ｓ１２０６では、システム制御部２０１は、転送対象の画像データがあるか否かを判定し、転送対象の画像データがあると判定した場合は処理をＳ１２０８に進め、ないと判定した場合は画像転送処理を終了する。
【０１２８】
Ｓ１２０８では、システム制御部２０１は、転送対象の画像データと当該画像データに関連付けられている音声データを外部機器３００に転送する。
【０１２９】
Ｓ１２１０では、システム制御部２０１は、Ｓ１２０８で外部機器３００に転送した画像データと音声データの転送情報を転送済みに書き換える。
【０１３０】
Ｓ１２１２では、システム制御部２０１は、画像データまたは当該画像データに関連付けられている音声データのいずれかの転送情報が未転送である画像データを転送する指示があったか否かを判定する。システム制御部２０１は、転送情報が未転送である画像データを転送する指示があったと判定した場合は処理をＳ１２１４に進め、ないと判定した場合は処理をＳ１２２０に進める。
【０１３１】
Ｓ１２１４では、システム制御部２０１は、画像データまたは当該画像データに関連付けられている音声データのいずれかの転送情報が未転送である画像データがあるか否かを判定する。システム制御部２０１は、転送情報が未転送である画像データがあると判定した場合は処理をＳ１２１６に進め、ないと判定した場合は画像転送処理を終了する。
【０１３２】
Ｓ１２１６では、システム制御部２０１は、画像データまたは関連付けられている音声データのいずれかの転送情報が未転送である画像データと当該画像データに関連付けられている音声データを外部機器３００に転送する。
【０１３３】
Ｓ１２１８では、システム制御部２０１は、Ｓ１２１６で外部機器３００に転送した画像データと音声データの転送情報を転送済みに書き換える。
【０１３４】
Ｓ１２２０では、システム制御部２０１は、画像データに関連付けられている音声データの転送情報が未転送である画像データを転送する指示があったか否かを判定する。システム制御部２０１は、音声データの転送情報が未転送である画像データを転送する指示があったと判定した場合は処理をＳ１２２２に進め、ないと判定した場合は処理をＳ１２３０に進める。
【０１３５】
Ｓ１２２２では、システム制御部２０１は、画像データに関連付けられている音声データの転送情報が未転送である画像データがあるか否かを判定する。システム制御部２０１は、音声データの転送情報が未転送である画像データがあると判定した場合は処理をＳ１２２４に進め、ないと判定した場合は画像転送処理を終了する。
【０１３６】
Ｓ１２２４では、システム制御部２０１は、画像データに関連付けられている音声データの転送情報が未転送である画像データと当該画像データに関連付けられている音声データを外部機器３００に転送する。
【０１３７】
Ｓ１２２６では、システム制御部２０１は、Ｓ１２２４で外部機器３００に転送した画像データと音声データの転送情報を転送済みに書き換える。
【０１３８】
Ｓ１２３０では、システム制御部２０１は、終了ボタンの操作を検出するなどして、画像転送処理の終了指示があったか否かを判定し、終了指示があったと判定した場合は画像転送処理を終了し、ないと判定した場合は処理をＳ１２０４に戻す。
【０１３９】
以上のように、本実施形態によれば、転送済みの画像データに追記する形で記録された音声データの転送状態をユーザが容易に確認できるようになる。
【０１４０】
［他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【０１４１】
発明は上記実施形態に制限されるものではなく、発明の精神及び範囲から離脱することなく、様々な変更及び変形が可能である。従って、発明の範囲を公にするために請求項を添付する。
【符号の説明】
【０１４２】
１００…デジタルカメラ、１０１…背面表示部、２０１…システム制御部、２５４…通信部、２７０…操作部、２９０…外部出力Ｉ／Ｆ、２９７…音声処理部、３００…外部機器
【図１】
2020178250.tif 000003
【図２】
2020178250.tif 000004
【図３】
2020178250.tif 000005
【図４】
2020178250.tif 000006
【図５】
2020178250.tif 000007
【図６】
2020178250.tif 000008
【図７】
2020178250.tif 000009
【図８】
2020178250.tif 000010
【図９】
2020178250.tif 000011
【図１０】
2020178250.tif 000012
【図１１】
2020178250.tif 000013
【図１２】
2020178250.tif 000014